(57)【要約】【課題】販売時においては商品を陳列する機能を有すると共に、複数種の品物を分けて収容することができ、購入後は包装用袋の一部をケースとして継続的に使用することが可能である包装用袋を、製造しやすい簡単な構成で手に入れる。【解決手段】第一ファスナー部３と第一の融着部２ｃと第二の融着部２ｄと第三の融着部２ｅとの間で第一の品物を収容する第一袋部７を構成し、第二ファスナー部４と第一の融着部２ｃと第二の融着部２ｄと第三の融着部２ｅとの間で第二の品物を収容する第二袋部８を構成し、両ファスナー部にスライダー５ａ，５ｂを付設して第一袋部７と第二袋部８とを開閉自在とし、フィルム部材２の上辺と第二の融着部２ｄの間にヘッダー部２ｇを設け、ヘッダー部２ｇに包装用袋１を陳列棚のフックへ吊り下げる吊下部２ｈを設け、ヘッダー部２ｇを切り離すことで、本体部６が第一の品物と第二の品物のケース９となる。【選択図】図３
2011098757.tif 000002
【特許請求の範囲】
【請求項１】
樹脂フィルムを重ねたフィルム部材の両辺に第一ファスナー部と第二ファスナー部とを設け、前記フィルム部材の下辺および前記フィルム部材の上辺から離間した位置で且つ前記スライダーの上方位置に、前記両ファスナー部を横架するよう前記フィルム部材の表裏を重ねて融着した第一の融着部および第二の融着部を設けると共に、前記フィルム部材の中央部に該フィルム部材を縦に仕切る第三の融着部を形成することにより、前記第一ファスナー部と第一の融着部と第二の融着部と第三の融着部との間で第一の品物を収容する第一袋部を構成し、前記第二ファスナー部と第一の融着部と第二の融着部と第三の融着部との間で第二の品物を収容する第二袋部を構成し、前記両ファスナー部にスライダーを付設して第一袋部と第二袋部とを開閉自在とし、前記フィルム部材の上辺と前記第二の融着部の間にヘッダー部を設け、前記ヘッダー部に前記包装用袋を陳列棚のフックへ吊り下げる吊下部を設け、前記ヘッダー部を切り離すことで、前記本体部が前記第一の品物と第二の品物のケースとなることを特徴とする包装用袋。
【発明の詳細な説明】
【技術分野】
【０００１】
本発明は、品物を包装する包装用袋に係り、例えば筆記具などの小物商品を店舗の陳列棚のフックバーに設置されたフックに吊り下げて販売するのに好適な包装用袋に関する。
【背景技術】
【０００２】
従来より筆記具などの小物商品はあらかじめ包装された状態で販売されることが多く、中身の商品を見ることができ価格的にも安いことから、透明な樹脂製のフィルムで形成した包装用袋に入れて販売されることが多い。特に商品を複数セットで販売する場合には、簡単にセット商品をまとめることができることから包装用袋がよく用いられる。
【０００３】
前述の包装用袋では、例えば図７に示すように、フィルム部材１２で形成した包装用袋１１のヘッダー部１２ｇに吊下孔１２ｈを設けて陳列棚のフックに吊り下げられるようにしてあることが多く、また袋部１６の下方部で裏フィルム１２ｃと裏側で重なり合うようにした表フィルム１２ｂの延長部１２ｉに設けた粘着部Ｎをはがすことにより、中身の品物５０を取り出せるようにしたものが多い。しかしながら、購入者が品物５０を収容していた包装用袋１１でケースとしての再利用を考えた場合には、袋部１６から品物３０の出し入れを繰り返し行っている内に、袋部１６を閉じるための粘着部Ｎが劣化して表フィルム１２ｂの延長部１２ｉが閉じられなくなるという問題が生じた。
このため、例えば登実３０１５７６４号公報や特開２００６−１４３２３６号公報に記載されているように、包装用袋に開閉自在なファスナー部を設けて、繰り返しの開閉を行えるようにしたものが存在している。このファスナー部を有した包装用袋は、前記登実３０１５７６４号公報や特開２００６−１４３２３６号公報に記載されているように、袋部の上方位置にファスナー部を設けてあり、また特開２００７−２９０７７６号公報に記載されているように、吊下孔を設けてあるファスナー部（チャック）の上方部を切り取ることにより、保存したり携行したりするのに便利なケースとしての利用が考えられたものである。
【０００４】
ところで前述の先行文献に記載してある包装用袋は、ファスナーを開閉するためにファスナー部の端から端まで指で開閉する必要があり、頻繁に開閉する場合には手間がかかる。そのため特開平７−１３２９４２号公報に記載があるようにファスナーを開閉するためのスライダーを設けた構造が好ましいが、ファスナー部が袋部の上方部に設けられ、ファスナー部のさらに上方部には吊下孔を形成するためのヘッダー部を設けてあることから、ヘッダー部が邪魔となってしまいスライダーを付設することが難しく、例えば特開２００６−７６６１９号公報のような特殊構造とする必要があり、安価に製造するのに不都合があった。また、品物を収容する袋部が複数に分れており、複数種の品物を分割して収容できる構造のものが求められているが、当然のことながら、品物を収容する袋部を複数設ける場合には、さらに複雑な構造が必要となってしまう。
【特許文献１】登実３０１５７６４号公報
【特許文献２】特開２００６−１４３２３６号公報
【特許文献３】特開平７−１３２９４２号公報
【特許文献４】特開２００６−７６６１９号公報
【発明の概要】
【発明が解決しようとする課題】
【０００５】
本発明は、販売時においては商品を陳列する機能を有すると共に、複数種の品物を分けて収容することができ、購入後は包装用袋の一部をケースとして継続的に使用することが可能である包装用袋を、製造しやすい簡単な構成で手に入れることを目的としている。
【課題を解決するための手段】
【０００６】
本発明は、
「樹脂フィルムを重ねたフィルム部材の両辺に第一ファスナー部と第二ファスナー部とを設け、前記フィルム部材の下辺および前記フィルム部材の上辺から離間した位置で且つ前記スライダーの上方位置に、前記両ファスナー部を横架するよう前記フィルム部材の表裏を重ねて融着した第一の融着部および第二の融着部を設けると共に、前記フィルム部材の中央部に該フィルム部材を縦に仕切る第三の融着部を形成することにより、前記第一ファスナー部と第一の融着部と第二の融着部と第三の融着部との間で第一の品物を収容する第一袋部を構成し、前記第二ファスナー部と第一の融着部と第二の融着部と第三の融着部との間で第二の品物を収容する第二袋部を構成し、前記両ファスナー部にスライダーを付設して第一袋部と第二袋部とを開閉自在とし、前記フィルム部材の上辺と前記第二の融着部の間にヘッダー部を設け、前記ヘッダー部に前記包装用袋を陳列棚のフックへ吊り下げる吊下部を設け、前記ヘッダー部を切り離すことで、前記本体部が前記第一の品物と第二の品物のケースとなることを特徴とする包装用袋。」である。
【０００７】
本発明における包装用袋を形成する樹脂製のフィルム部材は、従来から用いられているポリプロピレン、ポリエチレン、ポリエステル、塩化ビニルフイルムなどで透明性が高く内部の商品が見やすいものを使用することが好ましく、フィルム部材の熱融着による加工性を考慮すると熱可塑性樹脂を使用することが好ましい。
またファスナー部は、フィルム部材と同様に樹脂材で形成した雄型ファスナー部材と雌型ファスナー部材を融着や接着でフィルム部材に固着して設けることができ、フィルム部材と同様に熱可塑性樹脂により成型したものはフィルム部材に対して融着が行えることから加工性がよい。
またファスナー部に付設するスライダーは従来公知の構造のものを使用することができ、材質としては高密度ポリエチレン、ポリオキシメチレン、ポリアミドなどのプラスチックで成形したものを用いることができる。
【０００８】
フィルム部材の融着方法としては、高周波溶着や超音波溶着などの一般的なフィルムを融着する方法を適宜採用すればよい。また、包装用袋の吊下部は、ヘッダー部に貫通孔を穿孔して吊下孔としたり、ヘッダー部にハンガー部材を配することにより、陳列棚のフックへ吊り下げる構造とすればよい。尚、本発明では第一の融着部と第二の融着部をファスナー部に形成することにより、当該融着部がファスナー部におけるスライダーのストッパーとなり、スライダーがファスナー部の端から抜け落ちてしまうことを防止できる。
また、第二の融着部の巾に限定はないが、融着部の巾を広くしたり、あるいはヘッダー部の全域を融着した構造とすることにより、ヘッダー部を本体部から切り離す際に、第二の融着部に切断部がおよんでしまっても、袋部の上部が開いてしまうことを防止できる構造となる。
さらに、第二の融着部の上部近傍または第二の融着部の巾内に、フィルム部材の表裏を貫通し第一ファスナー部側と第二ファスナー部側とを横架させたミシン目を設けることにより、ミシン目にて包装用袋をヘッダー部と本体部とで容易に分割することができるものとなる。尚、本発明の包装用袋の本体部とは、少なくとも両辺のファスナー部と第一の融着部と第二の融着部と第三の融着部とで形成した袋部の全てを有したものである。
【０００９】
また、フィルム部材の両辺にある第一ファスナー部と第二ファスナー部とがフィルム部材のリブとしての役目になるので、フィルム部材を薄い樹脂フィルムで形成した場合においても包装用袋に強度を与えることができる。
【００１０】
また、スライダーがファスナー部の上方へ移動する際にファスナー部を閉じ、スライダーが下方へ移動する際にファスナー部を開く構造とすることにより、陳列状態でスライダーが若干開いてしまっても品物が脱落してしまうことを防ぐことができる。
また、包装用袋のヘッダー部と本体部との境界部に切取線を設けることで、切り取り箇所を誤って切ってしまい、袋部の上部を開放してしまうということを防げると共に、切取線上にハサミ模様の印刷部を設けることで、購入者が包装用袋をケースとして再利用できることを認識しやすいものとなる。
【発明の効果】
【００１１】
本発明によれば、販売時においては商品を陳列する機能を有すると共に、複数種の品物を分けて収容することができ、購入後は包装用袋の一部をケースとして継続的に使用することが可能である包装用袋を、製造しやすい簡単な構成で手に入れることが可能となった。
【図面の簡単な説明】
【００１２】
【図１】本実施例の包装用袋に品物を入れて陳列棚のフックへ吊り下げた状態の図である。
【図２】本実施例の包装用袋のスライダーを操作している状態の図である。
【図３】本実施例の包装用袋のヘッダー部を切り取っている状態の図である。
【図４】本実施例の包装用袋のヘッダー部を切り取ってケースとして使用している状態の図である。
【図５】本実施例の包装用袋を曲げた状態の図である。
【図６】ファスナー部の概略断面図である。
【図７】従来の包装用袋から品物を抜き取る状態の図である。
【発明を実施するための形態】
【００１３】
販売時においては商品を陳列する機能を有すると共に、複数種の品物を分けて収容することができ、購入後は包装用袋の一部をケースとして継続的に使用することが可能である包装用袋を、製造しやすい簡単な構成で実現した。
【実施例】
【００１４】
次に図面を参照しながら本実施例について説明を行う。以下、図面を参照して本発明の実施例を説明する。図面中の同じ部材、同じ部品については同じ番号を付してある。本実施例の説明においては図面の下側を下方と表現し、反対側を上方と表現する。
【００１５】
図１は本実施例の包装用袋に品物を入れて陳列棚のフックへ吊り下げた状態の図で、図２は本実施例の包装用袋のスライダーを操作している状態の図である。本実施例の包装用袋１は、二枚の透明な樹脂フィルムを重ねたフィルム部材２を矩形状に形成してあり、フィルム部材２の一辺（図面右側）には、ファスナー部３を設けると共にファスナー部３にスライダー５ａを付設してあり、フィルム部材２の他辺（図面左側）には、ファスナー部４を設けると共にファスナー部４にスライダー５ｂを付設し、スライダー５ａ，５ｂを上方へ移動させることでファスナー部３，４が閉じ、下方へ移動させることでファスナー部３，４が開くようにしてある。尚、ファスナー部３，４は、フィルム部材２の表面側２ａの内側に雄型ファスナー部材３ａ，４ａを融着し、フィルム部材２の裏面側２ｂの内側に雌型ファスナー部材３ｂ，４ｂを融着することにより構成してある。
【００１６】
フィルム部材２の下辺には、ファスナー部３側とファスナー部４側とを横架してフィルム部材２の表面側２ａとフィルム部材２の裏面側２ｂとを融着させる第一の融着部２ｃを設けてあり、フィルム部材２の上辺から離間した位置でスライダー５ａ，５ｂの上方となる位置には、ファスナー部３側とファスナー部４側とを横架してフィルム部材２の表面側２ａとフィルム部材２の裏面側２ｂとを融着させる第二の融着部２ｄを設けてある。また、フィルム部材２の中央部には、第一の融着部２ｃと第二の融着部２ｄとを連結する第三の融着部２ｅを設けてあることから、本実施例の包装用袋１の本体部６には、フィルム部材２のファスナー部３と第一の融着部２ｃと第二の融着部２ｄと第三の融着部２ｅとで第一袋部７を形成し、フィルム部材２のファスナー部４と第一の融着部２ｃと第二の融着部２ｄと第三の融着部２ｅとで第二袋部８を形成し、第一袋部７にキャップ式のボールペン２０，３０を収容し、第二袋部８にノック式のボールペン４０，５０を分けて収容してある。また、フィルム部材２の上辺は、溶断すると共に融着させて、ファスナー部３側とファスナー部４側とを横架する第四の融着部２ｆを形成してあり、この第四の融着部２ｆと前記第二の融着部２ｄとの間にヘッダー部２ｇを設けてある。ヘッダー部２ｇには吊下孔２ｈを穿孔して、図１に示すように陳列棚のフックバー１００に掛止させたフック１０１の引掛部１０２を吊下孔２ｈに挿通させて包装用袋１を吊り下げるようにしてある。
【００１７】
図に示すように本実施例では、雄型ファスナー部材３ａ，４ａおよび雌型ファスナー部材３ｂ，４ｂをフィルム部材２の上下方向の全長に渡り融着してファスナー部３，４を設けてあり、第一の融着部２ｃにて第一袋部７の下方にストッパー７１，８１を形成し、第二の融着部２ｄにて第一袋部７の上方にストッパー７２，８２を形成し、スライダー５ａ，５ｂがファスナー部３，４の端から脱落してしまうことを防止させている。また本実施例では、店頭での陳列時における不正を防止するため、図１に示すように、スライダー５ａ，５ｂの下方に操作防止用のシールＲを貼って、販売時におけるファスナー部３，４の開放を防止した。購入後は図２に示すように、シールＲを剥がすことでスライダーの操作ができるようになっている。
【００１８】
次に図３を用いてヘッダー部を切り取る際について説明を行う。本実施例では、図２に示すように、ヘッダー部２ｇと本体部６との境界部に切り取り箇所を示す破線状の切取線Ｌを印刷してあり、切取線Ｌ上にはハサミの模様である印刷部Ｍを設けてあり、図３に示すようにハサミ２００で切り取りを行う際の目印としてある。ヘッダー部２ｇを切り取った包装用袋の本体部６は、図４に示すように上方にヘッダー部２ｇを若干残しながらもケース９として使用でき、スライダー５ａ，５ｂをファスナー部３，４の下まで下げて袋部６，７を開き、図１で示したボールペン２０、３０，４０，５０を収容できるものとなる。したがって、スライダー５ａ，５ｂを操作することで袋部７，８を繰り返し開閉することができ、ケース９の袋部７，８の内部へ品物の出し入れを容易に行うことができるものとなった。
また、図５に示すように、フィルム部材２の両辺に設けた第一ファスナー部３と第二ファスナー部４とが、図６の断面で示すようにフィルム部材２の両辺を補強するリブとしての役目になるので、包装用袋１に強度を与えることができた。
【産業上の利用可能性】
【００１９】
本発明の包装用袋は、筆記具以外の品物でも、陳列棚のフックに吊り下げられる程度の大きさの商品であれば使用できる。
【符号の説明】
【００２０】
１…包装用袋、
２…フィルム部材、２ａ…表面側、２ｂ…裏面側、
２ｃ…第一の融着部、２ｄ…第二の融着部、２ｅ…第三の融着部、
２ｆ…第四の融着部、２ｇ…ヘッダー部、２ｈ…吊下孔、
３…第一のファスナー部、
３ａ…雄型ファスナー部材、３ｂ…雌型ファスナー部材、
４…第二のファスナー部、
４ａ…雄型ファスナー部材、４ｂ…雌型ファスナー部材、
５ａ，５ｂ…スライダー、６…本体部、
７…第一袋部、７１，７２…ストッパー、
８…第二袋部、８１，８２…ストッパー、
９…ケース、
Ｌ…切取線、Ｍ…ハサミの模様、Ｒ…シール、
２０，３０…キャップ式ボールペン、
４０，５０…ノック式ボールペン、
１００…フックバー、１０１…フック、１０２…引掛部。
【図１】
2011098757.tif 000003
【図２】
2011098757.tif 000004
【図３】
2011098757.tif 000005
【図４】
2011098757.tif 000006
【図５】
2011098757.tif 000007
【図６】
2011098757.tif 000008
【図７】
2011098757.tif 000009